(57)【特許請求の範囲】
【請求項１】
液体洗剤組成物であって、
（ａ）前記組成物の１重量％〜６０重量％の界面活性剤系であって、
（ｉ）前記界面活性剤系の３５重量％〜４９重量％のアルキルサルフェート界面活性剤であって、以下の式：Ｒ1Ｏ（Ａ）xＳＯ3Ｍ（式中、
ａ．Ｒ1は、Ｃ1〜Ｃ21のアルキル又はアルケニル基、及び、Ｃ8〜Ｃ20のアルキル又はアルケニル基：の一つから選択され、
ｂ．Ａは、アルコキシ基、Ｃ1〜Ｃ5アルコキシ基、及び、Ｃ1〜Ｃ3アルコキシ基：の一つから選択され、
ｃ．ｘは、１未満の平均モルパーセントを表し、
ｄ．Ｍは、アルカリ金属、アルカリ土類金属、アンモニウム基、又はアルカノールアンモニウム基から選択されるカチオンである）、
を有する、アルキルサルフェート界面活性剤、
（ｉｉ）前記界面活性剤系の３５重量％〜４９重量％の補助界面活性剤であって、前記補助界面活性剤は、アミンオキシド界面活性剤である、補助界面活性剤、
（ｉｉｉ）前記界面活性剤系の１２重量％〜２２重量％、の非イオン性界面活性剤、
を含む、界面活性剤系と、
（ｂ）水と、を含む、液体洗剤組成物。
【請求項２】
前記補助界面活性剤が、アルキルジメチルアミンオキシド界面活性剤である、請求項１に記載の組成物。
【請求項３】
前記非イオン性界面活性剤が、１〜２５モルのエチレンオキシドを有する脂肪族アルコールである、請求項１に記載の組成物。
【請求項４】
前記非イオン性界面活性剤が、８〜１８個の炭素原子を含有するアルキル基を有するアルコールと、アルコール１モルあたり２〜１８モルのエチレンオキシドとの縮合生成物である、請求項１に記載の組成物。
【請求項５】
前記組成物が、液体食器洗剤組成物である、請求項１に記載の組成物。
【請求項６】
前記水が、前記組成物の１０重量％〜９５重量％である、請求項１に記載の組成物。
【請求項７】
前記組成物の０．０１重量％〜２０重量％の有機溶媒を更に含み、前記有機溶媒が、グリコール、ポリアルキレングリコール、グリコールエーテル、エタノール、及びこれらの混合物から選択される、請求項１に記載の組成物。
【請求項８】
前記組成物の０．５重量％〜１０重量％のヒドロトロープを更に含み、前記ヒドロトロープが、キシレンスルホン酸ナトリウム、キシレンスルホン酸カリウム、及びキシレンスルホン酸アンモニウム、トルエンスルホン酸ナトリウム、トルエンスルホン酸カリウム、及びトルエンスルホン酸アンモニウム、クメンスルホン酸ナトリウム、クメンスルホン酸カリウム、及びクメンスルホン酸アンモニウム、並びにこれらの混合物から選択される、請求項１に記載の組成物。
【請求項９】
前記組成物の０．０１重量％〜１．５重量％のカルシウムイオン若しくはマグネシウムイオン、又はこれらの混合物を更に含む、請求項１に記載の組成物。
【請求項１０】
液体食器洗剤組成物であって、
（ａ）前記液体食器組成物の２６重量％〜３８重量％の界面活性剤系であって、
（ｉ）前記界面活性剤系の４０重量％〜４４重量％のアルキルサルフェート界面活性剤であって、以下の式：Ｒ1Ｏ（Ａ）xＳＯ3Ｍ（式中、
ａ．Ｒ1は、Ｃ10〜Ｃ18アルキル又はアルケニル基であり、
ｂ．Ａは、エトキシ、プロポキシ、これらの混合物から選択されるアルコキシ基であり、
ｃ．ｘは、０．１〜０．９の平均モルパーセントを表し、
ｄ．Ｍは、アルカリ金属、アルカリ土類金属、アンモニウム基、又はアルカノールアンモニウム基から選択されるカチオンである）
を有する、アルキルサルフェート界面活性剤、
（ｉｉ）前記界面活性剤系の４０重量％〜４４重量％の補助界面活性剤であって、前記補助界面活性剤はアミンオキシドであり、前記アミンオキシドはアルキルジメチルアミンオキシドである、補助界面活性剤、
（ｉｉｉ）前記界面活性剤系の１５重量％〜１９重量％の非イオン性界面活性剤であって、アルコールエトキシレート非イオン性界面活性剤である、非イオン性界面活性剤、を含む、界面活性剤系と、
（ｂ）前記液体食器洗剤の３０重量％〜９０重量％の水と、
（ｃ）８〜１０のｐＨと、を含む、液体食器洗剤組成物。
【請求項１１】
（ａ）前記組成物の０．０１重量％〜２０重量％の有機溶媒であって、グリコール、ポリアルキレングリコール、グリコールエーテル、エタノール、及びこれらの混合物から選択される、有機溶媒、
（ｂ）更に、キシレンスルホン酸ナトリウム、キシレンスルホン酸カリウム、及びキシレンスルホン酸アンモニウム、トルエンスルホン酸ナトリウム、トルエンスルホン酸カリウム、及びトルエンスルホン酸アンモニウム、クメンスルホン酸ナトリウム、クメンスルホン酸カリウム、及びクメンスルホン酸アンモニウム、並びにこれらの混合物から選択される、ヒドロトロープを、前記組成物の０．１重量％〜３重量％含む、請求項１０に記載の組成物。
【請求項１２】
標的表面においてキュッキュッと音がするほどきれいな感触を達成するための請求項１〜１１のいずれかに記載の組成物の使用であって、前記標的表面が食器である、使用。
【発明の詳細な説明】
【技術分野】
【０００１】
本発明は、改善されたすすぎ感触を有する液体洗剤組成物に関する。
【背景技術】
【０００２】
効率的なすすぎにより、キュッキュッと音がするほどきれいに洗えること（Squeaky clean）は、特に食器の手洗いにおいて、多くの消費者セグメントとって重要である。例えば、このキュッキュッと音がするほどきれいに洗えることは、日本では「キュッキュッ」と称される。この効果を提供するために、液体食器洗剤組成物は、多くの場合、比較的高いアルコキシ化度、特にエトキシ化度を有するアニオン性界面活性剤を含有することが多く、これによって、液体食器洗剤組成物は、より水溶性になる。しかし、これら高度にアルコキシ化されたアニオン性界面活性剤の欠点は、効率的な脂肪又は油の除去が犠牲になることである。したがって、キュッキュッと音がするほどきれいに洗える効果と、脂肪を除去するためにアルコキシ化度の低いアニオン性界面活性剤を使用することとのバランスのとれた液体洗剤組成物が必要とされている。
【発明の概要】
【課題を解決するための手段】
【０００３】
本発明は、比較的アルコキシ化度の低いアニオン性界面活性を提供し、そして、アニオン性界面活性と、補助界面活性剤と、非イオン性界面活性剤との最適化された重量比を提供することによって、キュッキュッと音がするほどの感触と効率的な脂肪（又は油）の除去とのバランスをとることにより、この要求に対処する。
【０００４】
本発明の１つの利点は、効率的に油脂を除去すると同時に、良好なキュッキュッと音がするほどの感触が得られることである。別の利点は、長い泡寿命を提供する洗剤組成物である。
【０００５】
本発明の１つの態様は、液体洗剤組成物であって、（ａ）組成物の１重量％〜６０重量％、好ましくは、５重量％〜５０重量％の界面活性剤系であって、（ｉ）界面活性剤系の３５重量％〜４９重量％、好ましくは、３７重量％〜４７重量％のアルキルサルフェート界面活性剤であって、以下の式：Ｒ1Ｏ（Ａ）xＳＯ3Ｍ（式中、Ｒ1は、Ｃ1〜Ｃ21、好ましくは、Ｃ8〜Ｃ20のアルキル又はアルケニル基であり、Ａは、アルコキシ基、好ましくは、Ｃ1〜Ｃ5アルコキシ基、より好ましくはＣ1〜Ｃ3アルコキシ基であり、ｘは、１未満、好ましくは０〜１未満の平均モルパーセントを表し、Ｍは、カチオンであり、好ましくは、カチオンは、アルカリ金属、アルカリ土類金属、アンモニウム基、又はアルカノールアンモニウム基から選択される）を有する、アルキルサルフェート界面活性剤、（ｉｉ）界面活性剤系の３５重量％〜４９重量％、好ましくは３７重量％〜４７重量％、より好ましくは４０重量％〜４４重量％の補助界面活性剤であって、両性界面活性剤、双性イオン性界面活性剤、及びこれらの混合物から選択される、補助界面活性剤、並びに（ｉｉｉ）界面活性剤系の１２重量％〜２２重量％、好ましくは１５重量％〜１９重量％の非イオン性界面活性剤、を含む、界面活性剤系と、（ｂ）水と、を含む、液体洗剤組成物を提供する。
【０００６】
本発明の別の態様は、液体食器洗剤組成物であって、（ａ）液体食器組成物の２６重量％〜３８重量％の界面活性剤系であって、（ｉ）界面活性剤系の４０重量％〜４４重量％のアルキルサルフェート界面活性剤であって、以下の式：Ｒ1Ｏ（Ａ）xＳＯ3Ｍ（式中、Ｒ1は、Ｃ10〜Ｃ18アルキル又はアルケニル基であり、Ａは、エトキシ、プロポキシ、及びこれらの混合物から選択されるアルコキシ基であり、ｘは、０．１〜０．９の平均モルパーセントを表し、Ｍは、アルカリ金属、アルカリ土類金属、アンモニウム基、又はアルカノールアンモニウム基から選択されるカチオンである）を有する、アルキルサルフェート界面活性剤、（ｉｉ）界面活性剤系の４０重量％〜４４重量％の補助界面活性剤であって、アミンオキシド、好ましくはアルキルジメチルアミンオキシドである、補助界面活性剤、並びに（ｉｉｉ）界面活性剤系の１５重量％〜１９重量％の非イオン性界面活性剤であって、アルコールエトキシレート非イオン性界面活性剤である、非イオン性界面活性剤を含む、界面活性剤系と、（ｂ）液体食器洗剤の３０重量％〜９０重量％の水と、（ｃ）８〜１０のｐＨと、を含む、液体食器洗剤組成物を提供する。
【０００７】
本発明の別の態様は、請求項のいずれか一項に記載の液体食器洗剤組成物を用いて食器を洗浄する方法であって、組成物を、食器、又は食器洗い用のボウル、又は食器洗浄器具に塗布する工程を含む、方法を提供する。
【０００８】
本発明の別の態様は、標的表面においてキュッキュッと音がするほどきれいな感触を得るための請求項のいずれかに記載の組成物の使用であって、標的表面が食器である、使用を提供する。
【発明を実施するための形態】
【０００９】
本明細書で使用するとき、「液体洗剤組成物」とは、食器、又は硬質表面（例えば、床、調理台等）、洗濯物、毛髪（例えば、シャンプー）、身体等を含む、様々な洗浄用途において使用される組成物を指す。本発明の好ましい液体洗剤組成物は、「液体食器洗剤組成物」であり、これは、手動で（すなわち、手で）食器を洗う際に使用される組成物を指す。このような組成物は、一般的に、本質的に起泡性又は発泡性が高い。「食器」という用語は、セラミック、陶磁器、金属、ガラス、プラスチック（ポリエチレン、ポリプロピレン、ポリスチレン等）、木等で作製された食器、グラス、鍋、フライパン、深皿、平皿等を含む。
【００１０】
界面活性剤系
本発明の１つの態様は、一般的にアニオン性界面活性剤、補助界面活性剤、及び非イオン性界面活性剤を含む界面活性剤系を提供する。界面活性剤系は、液体洗剤組成物の１重量％〜６０重量％、好ましくは５重量％〜５０重量％、より好ましくは８重量％〜４０重量％含まれる。あるいは、界面活性剤系は、液体洗剤組成物の２６重量％〜３８重量％、あるいは２８重量％〜３６重量％、あるいはこれらの組み合わせで含まれる。
【００１１】
アルキルサルフェート界面活性剤
本発明の１つの態様は、界面活性剤系の３５重量％〜４９重量％、好ましくは３７重量％〜４７重量％、より好ましくは４０重量％〜４４重量％、あるいはこれらの組み合わせで含まれる、以下に定義する式のアルキルサルフェート界面活性剤を提供する。
【００１２】
本発明のアルキルサルフェート界面活性剤は、以下の式：Ｒ1Ｏ（Ａ）xＳＯ3Ｍ（式中、可変部は、本明細書に定義する通りである）を有する。「Ｒ1」は、Ｃ1〜Ｃ21、好ましくはＣ8〜Ｃ20、より好ましくはＣ10〜Ｃ18のアルキル又はアルケニル基である。アルキル又はアルケニル基は、分枝状又は直鎖状であってよい。アルキル又はアルケニル基が分枝状である場合、好ましくは、Ｃ1〜4アルキル分枝単位を含む。アルキルサルフェート界面活性剤の重量平均分枝パーセントは、好ましくは１０％超、より好ましくは１５％〜８０％、最も好ましくは２０％〜４０％、あるいは２１％〜２８％、あるいはこれらの組み合わせである。分枝状アルキルサルフェート界面活性剤は、単一のアルキルサルフェート界面活性剤であってもよく、又はアルキルサルフェート界面活性剤の混合物であってもよい。単一の界面活性剤である場合、分枝パーセントとは、界面活性剤が由来する元のアルコールにおいて分枝しているヒドロカルビル鎖の重量パーセントを指す。界面活性剤の混合物である場合、分枝パーセントは、重量平均であり、以下の式：分枝の重量平均（％）＝［（ｘ１×アルコール１中の分枝状アルコール１のｗｔ％＋ｘ２×アルコール２中の分枝状アルコール２のｗｔ％＋．．．．）／（ｘ１＋ｘ２＋．．．．）］×１００（式中、ｘ１、ｘ２、．．．．は、アニオン性界面活性剤の出発物質として用いたアルコールの全アルコール混合物中の各アルコールの重量（グラム）である）に従って定義される。重量平均分枝度の計算においては、分枝基を有しないアルキルサルフェート界面活性剤成分の重量も含めるべきである。
【００１３】
上記式に戻ると、「Ａ」は、アルコキシ基、好ましくはＣ1〜Ｃ5アルコキシ基、より好ましくはＣ1〜Ｃ3アルコキシ基であり、更により好ましくは、アルコキシ基は、エトキシ、プロポキシ、及びこれらの混合物から選択される。１つの実施形態では、アルコキシ基は、エトキシである。「ｘ」は、１未満、好ましくは０〜１未満、より好ましくは０．１〜０．９、あるいは０．２〜０．８、あるいはこれらの組み合わせの平均モルパーセントを表す。
【００１４】
分かりやすくするために、上記式は、特定のアルキルアルコキシサルフェートについて記載し、より好ましくは、上記式は、モル平均アルコキシ化パーセント（すなわち、変数「ｘ」）が１未満になるような、アルキルサルフェート及びアルキルアルコキシサルフェートの混合物について記載する。界面活性剤の混合物である場合、平均アルコキシ化度は、平均モルパーセントであり、以下の式：モル平均アルコキシ化度＝［（ｙ０×０＋ｙ１×１＋ｙ２×２＋．．．．）／（ｙ０＋ｙ１＋ｙ２＋．．．．）］（式中、ｙ０、ｙ１、ｙ２、．．．．は、それぞれ、本発明の洗剤中に存在する０、１つ、２つ．．．のアルコキシ単位を有する硫酸化界面活性剤の全アルキル混合物中の各硫酸化界面活性剤のモルパーセントである）に従って定義される。例えば、以下の式：ＣＨ3（ＣＨ2）13ＳＯ4Ｎａのアルキルサルフェートは、ｙ値０を有する（すなわち、ｙ０）。以下の式：ＣＨ3（ＣＨ2）13（ＯＣＨ2ＣＨ2）ＳＯ4Ｎａのアルキルエトキシサルフェートは、ｙ値１を有する（すなわち、ｙ１）。以下の式：ＣＨ3（ＣＨ2）10（ＯＣＨ2ＣＨ2）4ＳＯ4Ｎａのアルキルエトキシサルフェートは、ｙ値４を有する（すなわち、ｙ４）。３つの分子のそれぞれのモル量を考慮して、最終的に、（式：Ｒ1Ｏ（Ａ）xＳＯ3Ｍ中の）変数「ｘ」の平均モルパーセントを計算する。
【００１５】
式：Ｒ1Ｏ（Ａ）xＳＯ3Ｍに関して、「Ｍ」は、カチオンであり、好ましくは、カチオンは、アルカリ金属、アルカリ土類金属、アンモニウム基、又はアルカノールアンモニウム基から選択され、より好ましくは、カチオンは、ナトリウムである。
【００１６】
洗剤組成物は、任意選択的に、他のアニオン性界面活性剤を更に含んでもよい。非限定的な例としては、スルホネート、カルボキシレート、スルホスクシネート、及びスルホアセテートアニオン性界面活性剤が挙げられる。
【００１７】
補助界面活性剤
本発明の１つの態様は、界面活性剤系の３５重量％〜４９重量％、好ましくは３７重量％〜４７重量％、より好ましくは４０重量％〜４４重量％、あるいはこれらの組み合わせで含まれる補助界面活性剤（以下に定義する）を提供する。補助界面活性剤は、両性界面活性剤、双性イオン性界面活性剤、及びこれらの混合物から選択される。好ましい実施形態では、本発明の組成物は、好ましくは、両性界面活性剤としてのアミンオキシド、又は双性イオン性界面活性剤としてのベタイン、又は前記アミンオキシド及びベタイン界面活性剤の混合物を含む。
【００１８】
好ましくは、補助界面活性剤は、両性界面活性剤を含み、両性界面活性剤は、少なくとも４０重量％、好ましくは少なくとも５０重量％、より好ましくは少なくとも６０重量％のアミンオキシド界面活性剤を含む。あるいは、主な補助界面活性剤は、両性及び双性イオン性界面活性剤を含み、両性及び双性イオン性界面活性剤は、好ましくは、約２：１〜約１：２の重量比で存在し、より好ましくは、両性界面活性剤は、アミンオキシド界面活性剤であり、双性イオン性界面活性剤は、ベタインである。最も好ましくは、補助界面活性剤は、アミンオキシド、特に、アルキルジメチルアミンオキシドである。
【００１９】
両性界面活性剤の中でも、アミンオキシド、特に、ココジメチルアミンオキシド又はココアミドプロピルジメチルアミンオキシドが最も好ましい。アミンオキシドは、直鎖状又は中分枝状アルキル部分を有し得る。典型的な直鎖状アミンオキシドとしては、１つのＲ１  Ｃ8〜18アルキル部分、並びにＣ1〜3アルキル基及びＣ1〜3ヒドロキシアルキル基からなる群から選択される２つのＲ２及びＲ３部分を含有する水溶性アミンオキシドが挙げられる。好ましいアミンオキシドは、式：Ｒ１−Ｎ（Ｒ２）（Ｒ３）Ｏ（式中、Ｒ1は、Ｃ8〜18アルキルであり、Ｒ2及びＲ3は、メチル、エチル、プロピル、イソプロピル、２−ヒドロキシエチル、２−ヒドロキシプロピル、及び３−ヒドロキシプロピルからなる群から選択される）によって特徴付けられる。直鎖状アミンオキシド界面活性剤は、特に、直鎖状Ｃ10〜Ｃ18アルキルジメチルアミンオキシド及び直鎖状Ｃ8〜Ｃ12アルコキシエチルジヒドロキシエチルアミンオキシドを含んでよい。好ましいアミンオキシドとしては、直鎖状Ｃ10、直鎖状Ｃ10〜Ｃ12、及び直鎖状Ｃ12〜Ｃ14アルキルジメチルアミンオキシドが挙げられる。本明細書で使用するとき、「中分枝状」とは、アミンオキシドが、ｎ1個の炭素原子を有するアルキル部分を１つ有し、前記アルキル部分における１つのアルキル分枝がｎ2個の炭素原子を有することを意味する。アルキル分枝は、アルキル部分における窒素からα位の炭素に位置する。アミンオキシドについてのこの種の分枝は、当該技術分野において内部アミンオキシドとしても知られている。ｎ1とｎ2との合計は、１０〜２４個、好ましくは１２〜２０個、より好ましくは１０〜１６個の炭素原子である。１つのアルキル部分についての炭素原子の数（ｎ1）は、１つのアルキル部分と１つのアルキル分枝とが対称になるように、１つのアルキル分枝（ｎ2）とほぼ同じ炭素原子の数でなければならない。本明細書で使用するとき、「対称」とは、本明細書で使用するための中分枝状アミンオキシドの少なくとも５０重量％、より好ましくは少なくとも７５重量％〜１００重量％における｜ｎ1−ｎ2｜が５以下、好ましくは４、最も好ましくは０〜４個の炭素原子であることを意味する。
【００２０】
アミンオキシドは、独立して、Ｃ1〜3アルキル、Ｃ1〜3ヒドロキシアルキル基、又は平均約１〜約３個のエチレンオキシド基を含有するポリエチレンオキシド基から選択される２つの部分を更に含む。好ましくは、２つの部分は、Ｃ1〜3アルキルから選択され、より好ましくは、両方がＣ1アルキルとして選択される。
【００２１】
双性イオン性界面活性剤の中でも、アルキルベタイン、アルキルアミドベタイン、アミダゾリニウムベタイン、スルホベタイン（ＩＮＣＩスルタイン）、及びホスホベタイン等のベタインが最も好ましく、好ましくは、以下の式Ｉ：
Ｒ1−［ＣＯ−Ｘ（ＣＨ2）n］x−Ｎ+（Ｒ2）（Ｒ3）−（ＣＨ2）m−［ＣＨ（ＯＨ）−ＣＨ2］y−Ｙ−（Ｉ）［式中、
Ｒ1は、飽和又は不飽和Ｃ６〜Ｃ２２アルキル残基、好ましくはＣ８〜Ｃ１８アルキル残基、特に、飽和Ｃ１０〜１６アルキル残基、例えば、飽和Ｃ１２〜１４アルキル残基であり、
Ｘは、ＮＨ、ＮＲ4（Ｒ4は、Ｃ１〜４アルキル残基）、Ｏ、又はＳであり、
ｎは、１〜１０、好ましくは２〜５、特に３の数であり、
ｘは、０又は１、好ましくは１であり、
Ｒ2、Ｒ3は、独立して、ヒドロキシエチル等のヒドロキシ置換され得るＣ１〜４アルキル残基、好ましくはメチルであり、
ｍは、１〜４、特に１、２、又は３の数であり、
ｙは、０又は１であり、
Ｙは、ＣＯＯ、ＳＯ３、ＯＰＯ（ＯＲ５）Ｏ、又はＰ（Ｏ）（ＯＲ５）Ｏ（式中、Ｒ５は、水素原子Ｈ又はＣ１〜４アルキル残基である）である］を満たす。
【００２２】
好ましいベタインは、式（Ｉａ）のアルキルベタイン、式（Ｉｂ）のアルキルアミドベタイン、式（Ｉｃ）のスルホベタイン、及び式（Ｉｄ）のアミドスルホベタインである；
Ｒ1−Ｎ+（ＣＨ3）2−ＣＨ2ＣＯＯ-                                  （Ｉａ）
Ｒ1−ＣＯ−ＮＨ（ＣＨ2）3−Ｎ+（ＣＨ3）2−ＣＨ2ＣＯＯ-          （Ｉｂ）
Ｒ1−Ｎ+（ＣＨ3）2−ＣＨ2ＣＨ（ＯＨ）ＣＨ2ＳＯ3−                （Ｉｃ）
Ｒ1−ＣＯ−ＮＨ−（ＣＨ2）3−Ｎ+（ＣＨ3）2−ＣＨ2ＣＨ（ＯＨ）ＣＨ2ＳＯ3−  （Ｉｄ）、式中、Ｒ1１は、式Ｉと同じ意味である。特に好ましいベタインは、カルボベタイン［式中、Ｙ-＝ＣＯＯ-］、特に、式（Ｉａ）及び（Ｉｂ）のカルボベタインであり、より好ましくは、式（Ｉｂ）のアルキルアミドベタインである。
【００２３】
好適なベタイン及びスルホベタインの例は、以下の通りである［ＩＮＣＩに従って表記］：アーモンドアミドプロピルのベタイン、アプリコットアミドプロピルベタイン、アボカドアミドプロピルのベタイン、ババスアミドプロピルのベタイン、ベヘンアミドプロピルベタイン、ベヘニルのベタイン、ベタイン、キャノールアミドプロピルベタイン、カプリル／カプラミドプロピルベタイン、カルニチン、セチルのベタイン、コカミドエチルのベタイン、コカミドプロピルベタイン、コカミドプロピルヒドロキシスルタイン、ココベタイン、ココヒドロキシスルタイン、ココ／オレアミドプロピルベタイン、ココスルタイン、デシルのベタイン、ジヒドロキシエチルオレイルグリシネート、ジヒドロキシエチルダイズグリシネート、ジヒドロキシエチルステアリルグリシネート、ジヒドロキシエチルタローグリシネート、ジメチコンプロピルのＰＧ−ベタイン、エルカミドプロピルヒドロキシスルタイン、水添タローのベタイン、イソステアラミドプロピルベタイン、ラウラミドプロピルベタイン、ラウリルのベタイン、ラウリルヒドロキシスルタイン、ラウリルスルタイン、ミルクアミドプロピルベタイン、ミンクアミドプロピルのベタイン、ミリスタミドプロピルベタイン、ミリスチルのベタイン、オレアミドプロピルベタイン、オレアミドプロピルヒドロキシスルタイン、オレイルのベタイン、オリーブアミドプロピルのベタイン、パームアミドプロピルベタイン、パームイタミドプロピルベタイン、パルミトイルカルニチン、パーム核アミドプロピルベタイン、ポリテトラフルオロエチレンアセトキシプロピルのベタイン、リシノールアミドプロピルベタイン、セサミドプロピルベタイン、ダイズアミドプロピルベタイン、ステアラミドプロピルベタイン、ステアリルのベタイン、タローアミドプロピルベタイン、タローアミドプロピルヒドロキシスルタイン、タローのベタイン、タロージヒドロキシエチルのベタイン、ウンデシレンアミドプロピルベタイン、及びコムギ胚芽アミドプロピルベタイン。
【００２４】
例えば、好ましいベタインは、ココアミドプロピルベタイン（ココアミドプロピルベタイン）である。
【００２５】
補助界面活性剤は、両性界面活性剤、双性イオン性界面活性剤、及びこれらの混合物から選択される。１つの実施形態では、両性界面活性剤は、両性界面活性剤の少なくとも６０重量％のアミンオキシドを含み、双性イオン性界面活性剤は、ベタインである。別の実施形態では、補助界面活性剤は、両性界面活性剤及び双性イオン性界面活性剤を含み、両性界面活性剤及び双性イオン性界面活性剤は、好ましくは、それぞれ、２：１〜１：２の重量比である。別の実施形態では、補助界面活性剤は、両性界面活性剤及び双性イオン性界面活性剤であり、両性界面活性剤は、アミンオキシド界面活性剤であり、双性イオン性界面活性剤は、ベタインであり、アミンオキシド界面活性剤のベタインに対する重量比は、約１：１である。別の実施形態では、補助界面活性剤は、アミンオキシド界面活性剤であり、非イオン性界面活性剤は、アルコールエトキシレート非イオン性界面活性剤である。更に別の実施形態では、補助界面活性剤は、アルキルジメチルアミンオキシド界面活性剤である。
【００２６】
非イオン性界面活性剤
本発明の１つの態様は、界面活性剤系の１２重量％〜２２重量％、好ましくは１５重量％〜１９重量％の非イオン性界面活性剤を提供する。好適な非イオン性界面活性剤としては、脂肪族アルコールと１〜２５モルのアルキレンオキシド、好ましくは、エチレンオキシドとの縮合生成物が挙げられる。脂肪族アルコールのアルキル鎖は、直鎖状又は分枝状、一級又は二級であってよく、一般的に、８〜２２個の炭素原子を含有する。８〜１８個の炭素原子、好ましくは１０〜１５個の炭素原子、あるいは９〜１１個の炭素原子、あるいは１２〜１４個の炭素原子、あるいはこれらの組み合わせを含有するアルキル基を有するアルコールと、アルコール１モルあたり２〜１８モル、好ましくは２〜１５モル、より好ましくは５〜１２モルのエチレンオキシドとの縮合生成物が特に好ましい。１つの実施形態では、非イオン性界面活性剤は、脂肪族アルコールと１〜２５モルのエチレンオキシド、好ましくは、８〜１８個の炭素原子を含有するアルキル基を有するアルコールとアルコール１モルあたり２〜１８モルのエチレンオキシドとの縮合生成物である。
【００２７】
式：Ｒ2Ｏ（ＣnＨ2nＯ）t（グリコシル）x（式（ＩＩＩ））（式中、式（ＩＩＩ）のＲ2は、アルキル、アルキルフェニル、ヒドロキシアルキル、ヒドロキシアルキルフェニル、及びこれらの混合物からなる群から選択され、アルキル基は、１０〜１８個、好ましくは１２〜１４個の炭素原子を含有し、式（ＩＩＩ）のｎは、２又は３、好ましくは２であり、式（ＩＩＩ）のｔは、０〜１０、好ましくは０であり、式（ＩＩＩ）のｘは、１．３〜１０、好ましくは１．３〜３、最も好ましくは１．３〜２．７である）を有するアルキルポリグリコシドも好適である。グリコシルは、好ましくは、グルコースから誘導される。アルキルグリセロールエーテル及びソルビタンエステルも同様に好適である。
【００２８】
以下の式（ＩＶ）：
【００２９】
【化１】
0006445590.tif 000002
（式中、式（ＩＶ）のＲ6は、７〜２１個、好ましくは９〜１７個の炭素原子を含有するアルキル基であり、式（ＩＶ）の各Ｒ7は、水素、Ｃ1〜Ｃ4アルキル、Ｃ1〜Ｃ4ヒドロキシアルキル、及び−（Ｃ2Ｈ4Ｏ）xＨからなる群から選択され、ここで式（ＩＶ）のｘは、１から３まで変動する）を有する脂肪酸アミド界面活性剤も好適である。好ましいアミドは、Ｃ8〜Ｃ20のアンモニアアミド、モノエタノールアミド、ジエタノールアミド、及びイソプロパノールアミドである。
【００３０】
より好ましくは、非イオン性界面活性剤は、脂肪族アルコールとエチレンオキシドとの縮合生成物である。
【００３１】
好ましい実施形態では、本発明の組成物は、カチオン性界面活性剤を含まないか又は実質的に含まない。
【００３２】
水
液体洗剤組成物は、好ましくは、水を含む。水は、組成物に直接添加してもよく、又は原材料と共に組成物に配合してもよい。いずれの場合も、本明細書における組成物の総含水量は、液体食器洗剤組成物の１０重量％〜９５重量％の水を含み得る。あるいは、組成物は、液体食器洗剤組成物の２０重量％〜９５重量％、あるいは３０重量％〜９０重量％、又は４０重量％〜８５重量％、又は２０重量％〜３０重量％、あるいはこれらの組み合わせの水を含み得る。
【００３３】
有機溶媒
本組成物は、任意選択的に、有機溶媒を含んでもよい。好適な有機溶媒としては、Ｃ4〜14エーテル及びジエーテル、ポリオール、グリコール、アルコキシ化グリコール、Ｃ6〜Ｃ16グリコールエーテル、アルコキシ化芳香族アルコール、芳香族アルコール、脂肪族直鎖又は分枝状アルコール、アルコキシ化脂肪族直鎖又は分枝状アルコール、アルコキシ化Ｃ1〜Ｃ5アルコール、Ｃ8〜Ｃ14アルキル及びシクロアルキル炭化水素及びハロ炭化水素、並びにこれらの混合物が挙げられる。好ましくは、有機溶媒としては、アルコール、グリコール、及びグリコールエーテル、あるいはアルコール及びグリコールが挙げられる。１つの実施形態では、液体洗剤組成物は、組成物の約０重量％以上５０重量％未満の溶媒を含む。存在する場合、液体洗剤組成物は、液体洗剤組成物の０．０１重量％〜２０重量％、あるいは０．５重量％〜１５重量％、あるいは１重量％〜１０重量％の前記有機溶媒を含有する。これら有機溶媒は、水と併用してもよく、又は水なしで使用してもよい。具体的な溶媒の非限定例としては、プロピレングリコール、ポリプロピレングリコール、プロピレングリコールフェニルエーテル、エタノール、及びこれらの組み合わせが挙げられる。１つの実施形態では、組成物は、組成物の０．０１重量％〜２０重量％の有機溶媒を含み、有機溶媒は、グリコール、ポリアルキレングリコール、グリコールエーテル、エタノール、及びこれらの混合物から選択される。
【００３４】
ヒドロトロープ
液体洗剤組成物は、任意選択的に、液体食器洗剤組成物が水に相溶性になるか又はより相溶性になるように、有効量、すなわち、約０％〜約１５％、又は約０．５％〜１０％、又は約１％〜６％、又は０．１％〜３％、又はこれらの組み合わせのヒドロトロープを含む。本明細書で使用するのに好適なヒドロトロープとしては、米国特許第３，９１５，９０３号に開示されているような、アニオン型のヒドロトロープ、特に、キシレンスルホン酸ナトリウム、キシレンスルホン酸カリウム、及びキシレンスルホン酸アンモニウム、トルエンスルホン酸ナトリウム、トルエンスルホン酸カリウム、及びトルエンスルホン酸アンモニウム、クメンスルホン酸ナトリウム、クメンスルホン酸カリウム、及びクメンスルホン酸アンモニウム、並びにこれらの混合物が挙げられる。１つの実施形態では、本発明の組成物は、等方性である。等方性組成物は、水中油型エマルション及びラメラ相組成物とは区別される。偏光顕微鏡は、組成物が等方性であるかどうかを評価することができる。例えば、Ｔｈｅ  Ａｑｕｅｏｕｓ  Ｐｈａｓｅ  Ｂｅｈａｖｉｏｕｒ  ｏｆ  Ｓｕｒｆａｃｔａｎｔｓ，Ｒｏｂｅｒｔ  Ｌａｕｇｈｌｉｎ，Ａｃａｄｅｍｉｃ  Ｐｒｅｓｓ，１９９４，ｐｐ．５３８〜５４２を参照。１つの実施形態では、等方性食器洗剤組成物を提供する。１つの実施形態では、組成物は、組成物の０．１重量％〜３重量％のヒドロトロープを含み、好ましくは、ヒドロトロープは、キシレンスルホン酸ナトリウム、キシレンスルホン酸カリウム、及びキシレンスルホン酸アンモニウム、トルエンスルホン酸ナトリウム、トルエンスルホン酸カリウム、及びトルエンスルホン酸アンモニウム、クメンスルホン酸ナトリウム、クメンスルホン酸カリウム、及びクメンスルホン酸アンモニウム、並びにこれらの混合物から選択される。
【００３５】
カルシウム／マグネシウムイオン
カルシウムイオン及び／又はマグネシウムイオン、好ましくは、マグネシウムイオンは、典型的には、液体洗剤組成物の０．０１重量％〜１．５重量％、好ましくは０．０１５重量％〜１重量％、より好ましくは０．０２５重量％〜０．５重量％の活性レベルで、好ましくは、水酸化物、塩化物、酢酸塩、硫酸塩、ギ酸塩、酸化物、又は硝酸塩として本発明の組成物に添加される。１つの実施形態では、組成物は、組成物の０．０１重量％〜１．５重量％のカルシウムイオン若しくはマグネシウムイオン、又はこれらの混合物、好ましくは、マグネシウムイオンを含む。
【００３６】
補助成分
本明細書における液体洗剤組成物は、任意選択的に、液体洗剤組成物で使用するのに好適な多数の他の補助成分、例えば、香料、着色剤、真珠光沢剤、乳白剤、泡安定剤／泡増強剤、洗浄及び／又は光沢ポリマー、レオロジー調整ポリマー、構造化剤、キレート剤、スキンケア活性物質、懸濁粒子、酵素、固化防止剤、粘度調整剤（viscosity trimming agent）（例えば、ＮａＣｌ、並びに他の一価塩、二価塩、及び三価塩等の塩）、保存剤、並びにｐＨ調整及び／又は緩衝手段（例えば、クエン酸等のカルボン酸、ＨＣｌ、ＮａＯＨ、ＫＯＨ、アルカノールアミン、リン酸及びスルホン酸、炭酸ナトリウム等の炭酸塩、重炭酸塩、セスキ炭酸塩、ホウ酸塩、ケイ酸塩、リン酸塩、イミダゾール等）を更に含んでもよい。
【００３７】
ｐＨ
本明細書における液体洗剤組成物は、好ましくは、３〜１４、より好ましくは４〜１３、より好ましくは６〜１２、最も好ましくは８〜１０、あるいは８．５〜９．５、あるいはこれらの組み合わせに調整されたｐＨを有する。ｐＨは、脱イオン水で１０重量％生成物濃度（すなわち、１０重量％生成物及び９０重量％水）に希釈した液体洗剤組成物によって求められる。組成物のｐＨは、当該技術分野において公知であるｐＨ調整及び／又は緩衝手段を使用して調整することができる。
【００３８】
粘度
本発明の液体洗剤組成物は、液体、半液体、クリーム、ローション、又はゲル組成物の形態であってよく、幾つかの実施形態では、食器に直接又は間接的に塗布するための食器手洗い液体洗剤組成物として使用することが意図される。これら組成物は、２０℃で１センチポアズ（ｃｐｓ）〜１０，０００ｃｐｓ、あるいは１０ｃｐｓ〜８０００ｃｐｓ、又は２００ｃｐｓ〜５０００ｃｐｓ、又は３００ｃｐｓ〜３０００ｃｐｓ、又は４００〜２０００ｃｐｓ、又は５００〜１７５０ｃｐｓ、又は１０００〜１５００ｃｐｓ、又は３００ｃｐｓ〜７００ｃｐｓ、又は４００ｃｐｓ〜８００ｃｐｓ、あるいはこれらの組み合わせの高剪断粘度を有する単相ニュートン又は非ニュートン生成物を含む。
【００３９】
粘度は、２０℃、スピンドル数３１でＢＲＯＯＦＩＥＬＤ  ＤＶ−Ｅ粘度計を用いて測定される。粘度に応じて、以下の毎分回転数（ｒｐｍ）を用いるべきである：５０ｒｐｍでは３００ｃｐｓ〜５００ｃｐｓ未満；２０ｒｐｍでは５００ｃｐｓ〜１，０００ｃｐｓ未満；１２ｒｐｍでは１，０００ｃｐｓ〜１，５００ｃｐｓ未満；１０ｒｐｍでは１，５００ｃｐｓ〜２，５００ｃｐｓ未満；５ｒｐｍでは２，５００ｃｐｓ以上である。３００ｃｐｓ未満の粘度は、１２ｒｐｍにてスピンドル数１８で測定される。
【００４０】
包装
本発明の液体洗剤組成物は、使用のために液体洗剤組成物を供給するための任意の好適なパッケージに包装してよい。１つの好ましい実施形態では、パッケージは、ポリエチレンテレフタレート、高密度ポリエチレン、低密度ポリエチレン、又はこれらの組み合わせで構成してよい。更に、好ましくは、組成物がキャップの開口部を通って瓶から出るように、パッケージは、パッケージの上部にあるキャップを介して投入してもよい。キャップは、プッシュプルキャップ又は押し上げふた式キャップであってよい。
【００４１】
食器の洗浄／処理プロセス
本発明の別の実施形態は、本発明の組成物を用いて食器を洗浄するプロセスを目的とする。プロセスは、典型的には、希釈形態又は未希釈形態の組成物を食器表面に塗布する工程と、食器をすすぐ工程とを含む。
【００４２】
本発明の１つの実施形態では、本明細書の組成物は、希釈形態で塗布することができる。得られた希釈組成物を収容している流しに汚れた食器を浸漬し、そこで、食器の汚れた表面を、布、スポンジ、又は類似の物品と接触させることにより、その表面を洗浄する。食器表面と接触させる前に、布、スポンジ、又は類似物品を、洗剤組成物と水との混合物に浸漬してもよい。布、スポンジ、又は類似の物品を食器表面に接触させることは、好ましくは、同時に食器表面を擦ることを伴う。
【００４３】
本発明の別の方法は、液体食器洗い洗剤を全く使用せずに、汚れた食器を水浴に浸漬するか、又は流水下で保持することを含む。スポンジ等の液体食器洗い洗剤を吸収する器具は、別の分量の非希釈の液体食器洗い組成物中に直接入れる。次いで、吸収器具、ひいては未希釈の液体食器洗い組成物を、汚れた食器のそれぞれの表面に個々に接触させて、汚れを除去する。吸収器具を食器表面に接触させることは、好ましくは、同時に擦ることを伴う。
【００４４】
あるいは、食器表面と接触させる前に、器具を食器手洗い組成物と水との混合物に浸漬させてもよく、濃縮溶液は、洗浄器具を収容し得る小さな容器内で食器手洗い組成物を水で希釈することによって作製される。
【００４５】
１つの実施形態では、本明細書に記載する液体食器洗剤組成物を用いて食器を洗浄する方法であって、前記方法は、組成物を食器、又は食器洗い用のボウル、又は食器洗浄器具に塗布する工程を含む。別の実施形態では、本明細書に記載する組成物の使用は、標的表面においてキュッキュッと音がするほどきれいな感触を達成するために用いられ、好ましくは、標的表面は、食器である。
【００４６】
データ
以下の表は、比較例（すなわち、Ｅｘ．１〜Ｅｘ．３）と本発明の実施例（Ｅｘ．４〜Ｅｘ．６）との間のすすぎ及び感触データを提供する。組成物成分（重量パーセントに基づく）に加えて、ｐＨ、粘度、並びにすすぎ及び感触のデータを提供する。
【００４７】
【表１】
0006445590.tif 000003
A  「ＡＥＳ」は、０．６の平均エトキシ化モルパーセント、約２４％〜２５％の平均アルキル分枝を有するＣ12〜Ｃ13アルキルエトキシサルフェートである。非硫酸化アルコール及びアルコールエトキシレートは、供給業者から得られ、それぞれを適切な比で内部で混合し（適切なエトキシ化及び分枝を達成するため）、次いで、アルコール混合物も内部で（Ｐ＆Ｇ）硫酸化する。
B  「アミンオキシド」は、Ｃ12〜Ｃ14アルキルジメチルアミンオキシド（ＩＣＬ製）である。
C  「非イオン性界面活性剤」は、全ての実施例（実施例１〜実施例６）において、Ｌｕｔｅｎｓｏｌ（商標）ＸＰ８０（ＢＡＳＦ製）（０．４６％）を有する。また、実施例４〜６は、Ｇｒｅｅｎｂｅｎｔｉｎ  ＤＥ／０８０（Ｋｏｌｂ製）（５％）を有する。
D  すすぎ及び感触を評価する。洗剤組成物のすすぎ感触プロファイルを評価するために、レファレンス及び試験製品の両方について、摂氏２０度（℃）の軟水（２．８ｄＨ）を用いて２０％洗剤溶液を調製する。９ｃｍ×４ｃｍ×４ｃｍに切断したセルロースのスポンジ（Ａｒｔｉｋｅｌ  Ｎｒ．３３１００２００−Ｍａｔｅｒｉａｌｎｕｍｍｅｒ  Ｚ  １４７００００−（ＭＡＰＡ  ＧｍｂＨ製）−Ｂｅｒｅｉｃｈ  ＳＰＯＮＴＥＸ  Ｉｎｄｕｓｔｒｉｅ）を水で濡らし、水滴が垂れなくなるまで絞る。２０％洗剤溶液１０ｍＬを、予め濡らしておいたセルロースのスポンジに塗布する。そして、一方の手でレファレンススポンジを握り、他方の手で試験スポンジを握り、両手にほぼ同じ絞り力を印加するようにして、両スポンジを手で５回絞る。そして、２０℃の軟水の水道水で両手をすすぎ、すすぎ中のツルツルした感触を以下の評価尺度に従って評価する。試験を３回繰り返し、それぞれの複製を異なる評価者によって行い、利き手と非利き手との間で試験製品とレファレンス製品とを交換し、平均データ点を報告する。尺度は１〜５であり、１は最も望ましくなく、すなわち、ツルツルしており、５が最も望ましい、すなわち、乾いた感触である。３は、ツルツルでも乾いた感触でもなく、すなわち、ツルツルと乾いた感触との間である。
【００４８】
データが示す通り、実施例４、５、及び６の本発明の組成物、並びに記載した界面活性剤系、並びにアニオン性界面活性剤、補助界面活性剤、及び非イオン性界面活性剤の重量パーセント比は、比較組成物に対してより高いすすぎ感触効果を達成する。
【００４９】
本明細書に開示される寸法及び値は、記載される正確な数値に厳密に限られるとして理解されるべきではない。むしろ、特に断らない限り、それぞれのそのような寸法は、記載される値とその値の周辺の機能的に同等の範囲との両方を意味するものとする。例えば、「４０ｍｍ」として開示される寸法は、「約４０ｍｍ」を意味することを意図する。
【００５０】
相互参照される又は関連する任意の特許又は特許出願、及び本願が優先権又はその利益を主張する任意の特許出願又は特許を含む、本明細書に引用される全ての文書は、明示的に除外又は別の方法で限定しない限りにおいて、参照によりその全容が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆、又は開示するとはみなされない。更に、本文書における用語の任意の意味又は定義が、参照することによって組み込まれた文書内の同じ用語の意味又は定義と矛盾する範囲において、本文書におけるその用語に与えられた意味又は定義が適用されるものとする。
【００５１】
以上、本発明の特定の実施形態を図示、説明したが、本発明の趣旨及び範囲から逸脱することなく他の様々な変更及び改変を実施することが可能である点は当業者には自明であろう。したがって、本発明の範囲内に含まれるそのような全ての変更及び修正は、添付の特許請求の範囲にて網羅することが意図される。